(57)【要約】【課題】ドアミラーに組込まれる車両用ランプ（ターンランプ）の意匠性、機能性を高める構成とする。【解決手段】ターンランプ２を、アウターハウジング３とアウターレンズ４との間に、アウターレンズ４に沿ってインナーレンズ５を設け、該インナーレンズ５を、インナーレンズ５とアウターハウジング３との間に設けた光源ユニット７により照射するよう構成するとともに、前記インナーレンズ５に、長尺状に導光する導光パイプ５ｂ、５ｃと、光を拡散する光拡散部５ｄとを設ける構成とする。【選択図】図２
2010052442.tif 000002
【特許請求の範囲】
【請求項１】
車両に組込まれる車両用ランプであって、該車両用ランプを、アウターハウジングとアウターレンズとの間に、アウターレンズに沿ってインナーレンズを設け、該インナーレンズを、インナーレンズとアウターハウジングとの間に設けた光源ユニットにより照射するよう構成するとともに、前記インナーレンズに、長尺状に導光する導光体と、光を拡散する光拡散部とを設ける構成とした車両用ランプ。
【請求項２】
車両用ランプは、インナーレンズと光源ユニットとの間にインナーハウジングが設けられている請求項１に記載の車両用ランプ。
【請求項３】
インナーレンズには、ハーフミラー蒸着部が設けられている請求項１または２に記載の車両用ランプ。
【請求項４】
インナーレンズは、複数の導光体が設けられている請求項１乃至３の何れか１項に記載の車両用ランプ。
【請求項５】
インナーレンズは、複数の導光体の間に光拡散部が設けられるものとし、導光体と光拡散部との間にハーフミラー蒸着部が設けられている請求項４に記載の車両用ランプ。
【請求項６】
複数の導光体は、互いに非平行となる関係で配されている請求項４または５に記載の車両用ランプ。
【請求項７】
インナーレンズは、導光体と光拡散部とがそれぞれ個別に形成されている請求項１乃至６の何れか１項に記載の車両用ランプ。
【請求項８】
インナーレンズは、導光体と光拡散部とが一体形成されている請求項１乃至６の何れか１項に記載の車両用ランプ。
【請求項９】
車両用ランプが組込まれたドアミラーであって、前記車両用ランプを、アウターハウジングとアウターレンズとの間に、アウターレンズに沿ってインナーレンズを設け、該インナーレンズを、インナーレンズとアウターハウジングとの間に設けた光源ユニットにより照射するよう構成するとともに、前記インナーレンズに、長尺状に導光する導光体と、光を拡散する光拡散部とを設ける構成とした車両用ランプが組込まれたドアミラー。
【発明の詳細な説明】
【技術分野】
【０００１】
本発明は、車両に設けれる車両用ランプおよび車両用ランプが組込まれたドアミラーの技術分野に属するものである。
【背景技術】
【０００２】
一般に、この種車両用ランプのなかには、車両（車体）のドアに設けられるドアミラーがあり、該ドアミラーにターンランプ（方向指示器）を一体に取り付けて、車両の前後に単独で設けられるターンランプとともに点灯させることにより、周囲の人に対して一層強くアピールするようにしたものが知られている。このようなもののなかには、ターンランプを、発光ダイオードを用いて点灯するように構成することが提唱されている。
【０００３】
前記発光ダイオードを用いてターンランプを構成するものにおいて、ドアミラーに、長尺中実状の導光体（光ファイバ）と、該導光体の長尺方向一端部を照射する光源を設けて、該光源を点灯することにより導光体の全長から光が放射するように構成し、ドアミラーの意匠性を高めるとともにターンランプの視認性を高めるようにしたものが提唱されている。
【特許文献１】特開２０００−１０３２８７号公報
【発明の開示】
【発明が解決しようとする課題】
【０００４】
ところで、前記従来のものは、導光体の長尺方向他端側が車体の左右方向外方に位置しており、車体の左右方向外方位置における照度は、ターンランプとしての法定基準を満足する照度が必要となる。これに対し、発光ダイオードは、導光体の長尺方向一端側を照射する構成であるので、長尺方向他端側においては光の減衰が想定される。この場合に、長尺状の導光体において漏光が生じたり、発光ダイオードとターンランプとの位置合わせがずれたりすると、長尺方向他端側における光の減衰が一層顕著になって、必要な照度を確保できずターンランプとしての機能を果せなくなる惧れがあって問題があり、ここに本発明の解決すべき課題がある。
【課題を解決するための手段】
【０００５】
本発明は、上記の如き実情に鑑みこれらの課題を解決することを目的として創作されたものであって、請求項１の発明は、車両に組込まれる車両用ランプであって、該車両用ランプを、アウターハウジングとアウターレンズとの間に、アウターレンズに沿ってインナーレンズを設け、該インナーレンズを、インナーレンズとアウターハウジングとの間に設けた光源ユニットにより照射するよう構成するとともに、前記インナーレンズに、長尺状に導光する導光体と、光を拡散する光拡散部とを設ける構成とした車両用ランプである。
請求項２の発明は、車両用ランプは、インナーレンズと光源ユニットとの間にインナーハウジングが設けられている請求項１に記載の車両用ランプである。
請求項３の発明は、インナーレンズには、ハーフミラー蒸着部が設けられている請求項１または２に記載の車両用ランプである。
請求項４の発明は、インナーレンズは、複数の導光体が設けられている請求項１乃至３の何れか１項に記載の車両用ランプである。
請求項５の発明は、インナーレンズは、複数の導光体の間に光拡散部が設けられるものとし、導光体と光拡散部との間にハーフミラー蒸着部が設けられている請求項４に記載の車両用ランプである。
請求項６の発明は、複数の導光体は、互いに非平行となる関係で配されている請求項４または５に記載の車両用ランプである。
請求項７の発明は、インナーレンズは、導光体と光拡散部とがそれぞれ個別に形成されている請求項１乃至６の何れか１項に記載の車両用ランプである。
請求項８の発明は、インナーレンズは、導光体と光拡散部とが一体形成されている請求項１乃至６の何れか１項に記載の車両用ランプである。
請求項９の発明は、車両用ランプが組込まれたドアミラーであって、前記車両用ランプを、アウターハウジングとアウターレンズとの間に、アウターレンズに沿ってインナーレンズを設け、該インナーレンズを、インナーレンズとアウターハウジングとの間に設けた光源ユニットにより照射するよう構成するとともに、前記インナーレンズに、長尺状に導光する導光体と、光を拡散する光拡散部とを設ける構成とした車両用ランプが組込まれたドアミラーである。
【発明の効果】
【０００６】
請求項１の発明とすることにより、法定要件を満足し、しかも、意匠性にも優れた車両用ランプとすることができる。
請求項２の発明とすることにより、消灯時に光源ユニットが外部から臨まれず、意匠性の高い車両用ランプを提供できる。
請求項３の発明とすることにより、部品点数を削減しながら、消灯時に光源ユニットが外部から臨まれず、意匠性の高い車両用ランプを提供できる。
請求項４、５の発明とすることにより、意匠性、視認性に優れた車両用ランプとすることができる。
請求項６、８の発明とすることにより、意匠性、視認性に優れた車両用ランプでありながら、部品点数の削減を図ることができる。
請求項７の発明とすることにより、多様な意匠の車両用ランプを提供することが可能となる。
請求項９の発明とすることにより、意匠性がよく、しかも、機能性に優れたものにすることができる。
【発明を実施するための最良の形態】
【０００７】
つぎに、本発明の第一の実施の形態について、図面に基づいて説明する。
図面において、１は車両のドアに設けられるドアミラーであって、該ドアミラー１を構成するボディー１ａの後方（車両後方）に面する部位には開口部（図示せず）が形成され、該開口部に、後方確認用のミラー（図示せず）が位置調整自在に嵌め込まれている。前記ボディー１ａの前方に面する部位は前方に膨出する形状に形成されており、該膨出部における上下方向中間部位の左右方向中間部から左右方向外方に至る部位に、本発明が実施されたターンランプ（車両用ランプに相当する）２が一体的に組込まれている。
【０００８】
尚、ドアミラー１は左右対称状のものが車両の左右ドア体に設けられるが、ここでは、図１に示すように、車両内の視点から左側（右ハンドル車において助手席側）に設けられるドアミラー１についての説明をし、右側のドアミラー１の説明については省略する。
前記ドアミラー１に組込まれるターンランプ２は、ボディー１ａの前方膨出部の前記部位に、一つの組立て部品として組込まれるように設定されている。そして、ターンランプ２は、図２に示すように、ボディー１ａの内側に収容されるアウターハウジング３と、該アウターハウジング３の前方部位を覆蓋し、ボディー１ａ外周面とともに外部に露出するアウターレンズ４とを備えるとともに、アウターハウジング３とアウターレンズ４との間には、アウターレンズ４に沿ってインナーレンズ５が設けられ、該インナーレンズ５のアウターハウジング３側にインナーハウジング６が設けられ、該インナーハウジング６とアウターハウジング３との間に光源ユニット７が設けられる構成となっている。
【０００９】
前記アウターハウジング３は、非透明部材（非透光性樹脂材）により一体型成形されており、ドアミラーボディー１ａの上下方向中間部位に内装されるべく左右方向長尺状で、かつ、ドアミラー１の左右方向外方となる左端部位が後方に向けてＲ状に折曲することにより前方に膨出する湾曲形状となり、右端部を頂点とする鋭角三角形状に形成された底片３ａを備えて構成されている。さらに、前記底片３ａの外周縁部からは前方に延出する側片部３ｂが形成されており、これによって、アウターハウジング３には、前方部位から左方部位が開口する凹部３ｃが形成されている。
【００１０】
前記アウターレンズ４は、透明部材（透光性樹脂材）により一体型成形されており、アウターハウジング３の前方を覆蓋する左右方向長尺状で、前方に膨出する湾曲形状となり、右端部を頂点とする鋭角三角形状に形成された覆蓋片４ａを備えて形成されている。そして、アウターレンズ４は、前記覆蓋片４ａの外周縁部から後方に向けて延出する側片部４ｂと、該側片部４ｂの上下縁部からそれぞれ上下方向に延出し、ドアミラー１のボディー１ａに覆われるフランジ片部４ｃとを備えて形成され、覆蓋片４ａと側片部４ｂとにより後方部位から左方部位が開口する凹部４ｄが形成されている。これによって、アウターレンズ４とアウターハウジング３とを側片部３ｂ、４ｂ同士を突当てて一体化した状態では、底片３ａと覆蓋片４ａとの対向間に凹部３ａ、４ａ同士が対向することにより中空部が形成されている。
【００１１】
そして、インナーレンズ５は、アウターハウジング３とアウターレンズ４との間に形成される中空部に設けられるが、アウターレンズ４の後方に積層するよう配設されている。前記インナーレンズ５は、アウターレンズ覆蓋片４ａの形状と同様に、左右方向長尺状で、前方に膨出する湾曲形状であるとともに、右端部を頂点とする鋭角三角形状に形成されるレンズベース部５ａを備えて構成されており、該レンズベース部５ａの前側（アウターレンズ４側）面には、レンズベース部５ａの上下縁部の左右方向一帯に沿って上下一対の導光パイプ（本発明の導光体に相当する）５ｂ、５ｃが固着する状態で設けられている。さらに、前記レンズベース部５ａには、左端部（ドアミラー１の左右方向外方）から右方に延出し、導光パイプ５ｂ、５ｃの上下方向中間部に位置する状態で右端部を頂部とする鋭角三角形状の光拡散部５ｄが設けられており、該光拡散部５ｄの左端側部位は、ドアミラー１の左右方向外端部に位置しており、法定要件を満足する照度が要求される部位に相当するように設定されている。
【００１２】
前記レンズベース部５ａは、透明部材（透光性樹脂材）により一体型成形された平滑レンズに形成されている。
また、前記上下一対の導光パイプ５ｂ、５ｃは、それぞれ透明部材（透光性樹脂材）により、長尺中実状で、かつ、断面円形状（円柱形状）に形成されるものである。そして、これら導光パイプ５ｂ、５ｃは、互いに非平行となる位置関係に配設されていて、導光パイプ５ｂ、５ｃの右端部であって、レンズベース部５ａの右端側の鋭角三角形状の頂部に対向する部位は、連結部５ｅにより一体的に連結されて左端側ほど拡開するＶ字形状を形成している。そして、後述するように、前記連結部５ｅを入光部として光源を入光させることにより、上下一対の導光パイプ５ｂ、５ｃが長尺状の光を放射するように構成されているが、これら導光パイプ５ｂ、５ｃは、後方側の面（アウターハウジング３側の面）にしぼ加工が施されており、導光パイプ５ｂ、５ｃに入光した光が漏光するのを防止するように構成されている。ここで、本実施の形態では、レンズベース部５ａと導光パイプ５ｂ、５ｃとがそれぞれ個別に形成され、これら形成されたレンズベース部５ａと導光パイプ５ｂ、５ｃとを一体的に固着することによりインナーレンズ５が構成されている。
さらに、光拡散部５ｄは、透明部材で形成されるレンズベース部５ａを型成形する際に一体に形成されており、レンズベース部５ａよりも肉厚状とし、かつ、光拡散手段を施すことにより構成されている。ここで、光拡散手段としては、凸レンズ状に形成すること、前方の面を非平滑面（例えば曇りガラス状、レンズカット等）にすること等、光を拡散することができる構成であれば何れの手法であってもよい。そして、光拡散部５ｄに光源を入光させることにより、拡散された光を放射するように構成されている。
【００１３】
前記インナーレンズ５の後方に設けられるインナーハウジング６はアウターハウジング３に沿って配されており、非透明部材（非透光性樹脂材）により、左右方向長尺状で、かつ、前方に膨出する湾曲形状に形成されている。さらに、インナーハウジング６の右端部であって、インナーレンズ５右端側の導光パイプ５ｂ、５ｃの連結部５ｅに対向する部位は切欠かれた形状となっている。
一方、インナーハウジング６とアウターハウジング３との間に形成される左右方向長尺状のスペースに光源ユニット７が設けられるが、前記光源ユニット７は、インナーハウジング６の後面に設けられる図示しない支持手段（例えば係止爪等の係止体）によりインナーハウジング６に支持されるように構成れている。前記光源ユニット７は、インナーレンズ５のレンズベース部５ａに入光するための第一光源７ａと、導光パイプ５ｂ、５ｃの連結部５ｅに入光するための第二光源７ｂと、光拡散部５ｄに入光するべく照射方向が異なる第三、第四光源７ｃ、７ｄと、これら第一〜第四光源７ａ、７ｂ、７ｃ、７ｄに電源供給するために必要な各種電子部品が設けられる基板７ｅと、該基板７ｅと各第一〜第四光源７ａ、７ｂ、７ｃ、７ｄとを電気的に接続するバスバー７ｆとにより、長尺状にユニット化されたものに構成されている。尚、第一〜第四光源７ａ、７ｂ、７ｃ、７ｄはそれぞれ発光ダイオードにより構成されている。
【００１４】
そして、光源ユニット７の第一光源７ａはインナーハウジング６の右端部に形成された第一傾斜面６ａに開設された第一貫通孔６ｂを介してインナーレンズ５のレンズベース部５ａに後方から入光し、第二光源７ｂはインナーハウジング６の右端部の切欠かれた部位からインナーレンズ５の連結部５ｅに右方から入光するように構成されている。さらに、光源ユニット７の第三、第四光源７ｃ、７ｄは、インナーハウジング６の左端部に山形状に形成されることにより傾斜方向の異なる第二、第三傾斜面６ｃ、６ｄにそれぞれ開設された第二、第三貫通孔６ｅ、６ｆを介して光拡散部５ｄに入光するように構成されており、これによって、光拡散部５ｄは、右側部位については第三光源７ｃが右方向に向けて入光し、左側部位については第四光源７ｄが左方向に向けて入光するように構成されている。このように構成することにより、インナーレンズ５は、ベースレンズ部５ａの右側部位、左右方向に長い上下の導光パイプ５ｂ、５ｃの全長、光拡散部５ｄ全体から光が放射（放光）されることになって、ターンランプ２の左右方向一体から光が放射され、ターンランプ２を前方、左右方向外方の何れからも視認性がよく、しかも、意匠性のよいものにできるように構成されている。
このとき、第一〜第四光源７ａ、７ｂ、７ｃ、７ｄが点灯していない状態において、透明なアウターレンズ４、インナーレンズ５の透明なレンズベース部５ａを透して内部、即ち、光源ユニット７配設側を臨むことが可能となるが、このものでは、光源ユニット７の前方（アウターレンズ４側）にインナーハウジング６が設けられているので、透明な部位を透して臨まれるのが非透明部材からなるインナーハウジング６となって、光源ユニット７が外部から臨まれることがなく、意匠性が劣るような不具合を防止できるように構成されている。
尚、７ｇは基板７ｅに接続される外部端子であって、アウターハウジング３の側片部３ｂに開設された貫通孔３ｄを介してアウターハウジング３の外部に引出されるように構成されている。
【００１５】
叙述の如く構成された本形態において、ターンランプ２は、インナーレンズ５にレンズベース部５ａと上下一対の導光パイプ５ｂ、５ｃと光拡散部５ｄとが形成され、これらレンズベース部５ａと上下一対の導光パイプ５ｂ、５ｃと光拡散部５ｄとを、インナーハウジング６に支持された光源ユニット７の第一〜第四光源７ａ、７ｂ、７ｃ、７ｄによりそれぞれ照射する構成としたので、ターンランプ２は、第二光源７ｂによる左右方向長尺状の光と、車両の左右方向内方においては第一光源７ａに基づくレンズベース部５ａからの光とが放射されて、車体の前方に対して放光されて意匠性のよいものとなっている。さらに、法定要件に基づく照度が要求される車両の左右方向外方については、第三、第四光源７ｃ、７ｄにより照射された光拡散部５ｄから光が拡散される状態で放射されていて、法定要件が確実に満足されており、これによって、意匠性、機能性ともに満足するターンランプ２とすることができる。しかも、仮に、長期使用の過程で、第二光源７ｂにより左右方向内方から照射される上下一対の導光パイプ５ｂ、５ｃからの放光が、左右方向外方において減衰するようなことがあったとしても、左右方向外方に位置して設けられた光拡散部５ｄからの放光により、法定要件が不足するような事態を招くことがなく、長期にわたって機能性、意匠性が保持されたターンランプ２とすることができる。
【００１６】
さらに、このものにおいて、インナーレンズ５と光源ユニット７との間に非透明性部材で構成されるインナーハウジング６を設ける構成としたので、ターンランプ２の消灯時において、透明部材であるアウターレンズ４、インナーレンズ５のレンズベース部５ａを透して光源ユニット７が臨まれてしまうようなことがなく、さらなる意匠性の向上が図れる。
【００１７】
しかも、このものでは、インナーレンズ５に上下一対の導光パイプ５ｂ、５ｃが設けられているため、ターンランプ２の左右方向一体にわたる長尺状の光が複数放射されることになって、意匠性に優れるばかりでなく、ターンランプ２としての視認性のさらなる向上を図ることができる。
【００１８】
また、このものでは、上下一対の導光パイプ５ｂ、５ｃは非平行となる関係で配されており、特に本実施の形態のものでは、右端部において連結部５ｅが形成されてＶ字形状となっている。この結果、意匠性が優れるばかりでなく、これら上下一対の導光パイプ５ｂ、５ｃの連結部５ｅを、右端側から一つの第二光源７ｂにより照射することで、上下一対の導光パイプ５ｂ、５ｃの両者をそれぞれ放光させることができて、部品点数の削減が果せ、コスト低下に寄与することができる。
【００１９】
さらに、本実施の形態のものでは、インナーレンズ５は、レンズベース部５ａと光拡散部５ｄとが一体に形成され、このものに対し、上下一対の導光パイプ５ｂ、５ｃを一体的に固着する構成となっているので、インナーレンズ５の意匠の多様化が可能となって、意匠性をさらに向上させることができる。
【００２０】
尚、本発明は、前記実施の形態に限定されないことは勿論であって、前記第一の実施の形態のインナーレンズにおいて、透明なレンズベース部にハーフミラー蒸着を施す構成としてもよく、このようにすることにより、消灯時にインナーハウジングから露出する光源をも臨むことができなくなり、意匠性がさらに向上するとともに、点灯時にはハーフミラー蒸着部が反射面として機能して、ターンランプを一層視認性よく放光させることが可能となる。また、一対の導光体がそれぞれ個別に設けられる構成としてもよい。
【００２１】
さらに、図３（Ａ）に示す第二の実施の形態のようにすることができる。
第二の実施の形態のターンランプ８は、アウターハウジング９、アウターレンズ１０、インナーレンズ１１、光源ユニット１２とを備え、インナーハウジングが設けられていないこと、インナーレンズ１１の光拡散部１１ａと上下一対の導光パイプ１１ｂ、１１ｃとの間に形成されるレンズベース部１１ｄの前方の面にハーフミラー蒸着Ｒが施されていること以外の構成は、前記第一の実施の形態と基本構成が同様となっている。このように構成することにより、消灯時に光源ユニットが外部から臨まれず、意匠性のよいものとすることができ、しかもインナーハウジングが設けられない分、部品点数の削減が図れるという利点がある。
【００２２】
また、図３（Ｂ）に示す第三の実施の形態のターンランプ１２は、インナーレンズ１３が、上下一対の導光パイプ１３ａを含めて一体に形成されたものとなって、インナーハウジング１４に支持される構成となっていること、インナーレンズ１３の上下の導光パイプ１３ａの間にハーフミラー蒸着Ｒが施されていること以外は、前記第一の実施の形態と同様の構成となっている。そして、この場合では、部品点数が削減されて構成の簡略化を図ることが可能となる。
【図面の簡単な説明】
【００２３】
【図１】図１（Ａ）、（Ｂ）はそれぞれドアミラーの正面図、側面図である。
【図２】ターンランプの分解斜視図である。
【図３】図３（Ａ）、（Ｂ）はそれぞれ第二、第三の実施の形態の車両用ランプの断面図である。
【符号の説明】
【００２４】
１    ドアミラー
２    ターンランプ
３    アウターハウジング
４    アウターレンズ
５    インナーレンズ
５ａ    レンズベース部
５ｂ    上側導光パイプ
５ｄ    光拡散部
５ｅ    連結部
６    インナーハウジング
６ｂ    第一貫通孔
７    光源ユニット
７ａ    第一光源
７ｅ    基板
【図１】
2010052442.tif 000003
【図２】
2010052442.tif 000004
【図３】
2010052442.tif 000005